(57)【要約】【課題】ライブビュー表示された画像に基づいて手動操作によるフォーカス調整が可能で、当該フォーカス調整を容易にする撮像装置を提供する。【解決手段】撮像装置１は、ＣＰＵ１１が拡大率調整プログラムを実行することで、画像の一部が表示部８０に拡大して表示されているときのパラメータを取得し、当該取得したパラメータに基づいて、拡大表示制御プログラムの実行時に画像の一部を拡大して表示する際の拡大率を変化させることができるように構成される。【選択図】図１
2011133696.tif 000002
【特許請求の範囲】
【請求項１】
手動操作によるフォーカス調整が可能な撮像装置であって、
撮像素子により被写体を撮像して画像を生成する撮像部と、
前記撮像部にて順次生成される画像の全体を連続的に表示する表示部と、
前記撮像部にて順次生成される画像の一部を所定の拡大率で拡大しながら前記表示部に
表示する拡大表示制御部と、
前記拡大表示制御部により前記表示部に前記画像の一部が拡大して表示されているとき
の手振れ量、光学ズーム倍率、又は先鋭度、の少なくとも何れか一つのパラメータを取得し、取得したパラメータに基づいて前記拡大表示制御部が前記画像の一部を拡大して表示する際の拡大率を変化させる拡大率制御部と、
を備えることを特徴とする撮像装置。
【請求項２】
請求項１に記載の撮像装置において、
光学ズーム倍率を任意の倍率に設定する光学ズーム手段を備え、
前記表示部は、前記光学ズーム手段により設定された光学ズーム倍率に応じて前記撮像部にて生成される画像の全体を表示し、
前記拡大表示制御部は、前記光学ズーム手段により設定された光学ズーム倍率に応じて前記撮像部にて生成される画像の一部を更に前記所定の拡大率で拡大しながら前記表示部に表示することを特徴する撮像装置。
【請求項３】
請求項１又は２に記載の撮像装置において、
前記拡大率制御部は、前記取得したパラメータが手振れ量である場合は当該手振れ量が大きな値であるほど拡大率を小さくするように、前記取得したパラメータがズーム倍率である場合は当該ズーム倍率が大きな値であるほど拡大率を小さくするように、前記取得したパラメータが先鋭度である場合は当該先鋭度が小さな値であるほど拡大率を小さくするように、前記取得したパラメータに基づいて前記拡大表示制御部が画像の一部を拡大して表示する際の拡大率を変化させることを特徴とする撮像装置。
【請求項４】
請求項１〜３の何れか１項に記載の撮像装置において、
前記拡大率制御部は、前記取得したパラメータに基づいて変化後の拡大率の目標値を決定し、前記拡大表示制御部が画像の一部を拡大して表示する際の拡大率が前記決定した目標値に徐々に近づくように拡大率の時間変化量を算出し、当該算出した時間変化量に基づいて前記拡大表示制御部が画像の一部を拡大して表示する際の拡大率を時間とともに変化させることを特徴とする撮像装置。
【請求項５】
請求項１〜３の何れか１項に記載の撮像装置において、
前記拡大率制御部は、前記取得したパラメータに基づいて、前記拡大表示制御部が画像の一部を拡大して表示する際の拡大率をその時点で設定されている拡大率に対して増減する又は維持するかを決定し、前記拡大率を増減すると決定した場合に、所定の拡大率の時間増減量に基づいて前記拡大表示制御部が画像の一部を拡大して表示する際の拡大率を時間とともに変化させることを特徴とする撮像装置。
【請求項６】
請求項４に記載の撮像装置において、
当該撮像装置の揺れ量を検出する揺れ量検出センサを備え、
前記拡大率制御部は、前記揺れ量検出センサにて検出される揺れ量を前記手振れ量として用い、当該揺れ量及び光学ズーム倍率に基づいて前記目標値を決定することを特徴とする撮像装置。
【請求項７】
請求項５に記載の撮像装置において、
前記拡大率制御部は、前記所定の拡大率で拡大した画像の振れ量を算出し、当該拡大した画像の振れ量を前記手振れ量として前記拡大表示制御部が画像の一部を拡大して表示する際の拡大率をその時点で設定されている拡大率に対して増減する又は維持するかを決定することを特徴とする撮像装置。
【請求項８】
請求項１〜４の何れか１項に記載の撮像装置において、
前記撮像部により生成される画像の高周波成分を検出する画像処理に基づいて前記先鋭
度を算出する先鋭度算出部を備え、
前記拡大率制御部は、前記先鋭度を前記先鋭度算出部より入力することを特徴とする撮像装置。
【請求項９】
請求項１〜８の何れか１項に記載の撮像装置において、
前記手動操作によるフォーカス調整に加えて、自動操作によるフォーカス調整が可能に構成され、
前記手動操作によるフォーカス調整のモードと前記自動操作によるフォーカス調整のモードとを切換えるモード切換部を備え、
前記拡大表示制御部は、前記モード切換部により前記手動操作によるフォーカス調整の
モードに切換えられた場合に、前記画像の一部を所定の拡大率で拡大しながら前記表示部に表示する制御を行うことを特徴とする撮像装置。
【請求項１０】
請求項１〜８に記載の撮像装置において、
前記手動操作によるフォーカス調整に加えて、自動操作によるフォーカス調整が可能に構成され、
前記手動操作によるフォーカス調整のモードと前記自動操作によるフォーカス調整のモードとを切換えるモード切換部と、
前記モード切換部により前記手動操作によるフォーカス調整のモードに切換えられた場合に、前記フォーカス調整用の確認画面を表示させるか否かを選択させる選択部と、
を備え、
前記拡大表示制御部は、前記選択部により前記フォーカス調整用の確認画面を表示させると選択された場合に、前記画像の一部を所定の拡大率で拡大しながら前記表示部に表示する制御を行うことを特徴とする撮像装置。
【請求項１１】
請求項１〜１０の何れか１項に記載の撮像装置において、
前記拡大表示制御部は、前記所定の拡大率で拡大しながら表示する前記画像の一部を前
記表示部に備わる表示画面の一部にのみ表示する制御を行うことを特徴とする撮像装置。
【発明の詳細な説明】
【技術分野】
【０００１】
本発明は、撮像装置に関する。
【背景技術】
【０００２】
従来、ＬＣＤ（Ｌｉｑｕｉｄ  Ｃｒｙｓｔａｌ  Ｄｉｓｐｌａｙ）等からなる液晶モニタを備え、ライブビュー表示される画像を用いて、当該液晶モニタの表示画面をファインダーとして使用するデジタルカメラ等の撮像装置が知られている。当該撮像装置では、ユーザがマニュアル操作でフォーカス調整を行う場合、液晶モニタの解像度が撮像素子の解像度よりも低いので、当該液晶モニタの画面を介してフォーカスが正確に調整されているか否かを容易に判別できない、という問題があった。
【０００３】
そこで、フォーカス調整のマニュアル操作が可能な撮像装置において、マニュアル操作時に、撮像素子にて撮像された画像を所定の拡大率で液晶モニタの表示画面に拡大して表示することで、フォーカスが調整されているか否かを容易に視認できるようにしたものが知られている（例えば、特許文献１及び特許文献２等参照）。
【先行技術文献】
【特許文献】
【０００４】
【特許文献１】特開平１１−３４１３３１号公報
【特許文献２】特開平１１−０５５５６０号公報
【発明の概要】
【発明が解決しようとする課題】
【０００５】
しかしながら、上記特許文献１及び特許文献２に記載の撮像装置では、液晶モニタ上に画像を拡大して表示する際の拡大率の設定が適正でない場合、拡大された画像によって一層フォーカスの調整が困難となるおそれがあるという問題があった。例えば、手振れが発生した状態や光学ズームの光学ズーム倍率が高い状態であるにもかかわらず拡大率を高く設定した場合、表示画面中の被写体は容易に大きな位置変化を行うため、被写体を見失ってフォーカス調整が困難となる。
【０００６】
そこで、本発明の課題は、ライブビュー表示された画像に基づいて手動操作によるフォーカス調整が可能で、当該フォーカス調整を容易にする撮像装置を提供する。
【課題を解決するための手段】
【０００７】
以上の課題を解決するため、請求項１に記載の発明は、手動操作によるフォーカス調整が可能な撮像装置であって、撮像素子により被写体を撮像して画像を生成する撮像部と、前記撮像部にて順次生成される画像の全体を連続的に表示する表示部と、前記撮像部にて順次生成される画像の一部を所定の拡大率で拡大しながら前記表示部に表示する拡大表示制御部と、前記拡大表示制御部により前記表示部に前記画像の一部が拡大して表示されているときの手振れ量、光学ズーム倍率、又は先鋭度、の少なくとも何れか一つのパラメータを取得し、取得したパラメータに基づいて前記拡大表示制御部が前記画像の一部を拡大して表示する際の拡大率を変化させる拡大率制御部と、を備えることを特徴とする。
【０００８】
請求項２に記載の発明は、請求項１に記載の撮像装置において、光学ズーム倍率を任意の倍率に設定する光学ズーム手段を備え、前記表示部は、前記光学ズーム手段により設定された光学ズーム倍率に応じて前記撮像部にて生成される画像の全体を表示し、前記拡大表示制御部は、前記光学ズーム手段により設定された光学ズーム倍率に応じて前記撮像部にて生成される画像の一部を更に前記所定の拡大率で拡大しながら前記表示部に表示することを特徴する。
【０００９】
請求項３に記載の発明は、請求項１又は２に記載の撮像装置において、前記拡大率制御部は、前記取得したパラメータが手振れ量である場合は当該手振れ量が大きな値であるほど拡大率を小さくするように、前記取得したパラメータがズーム倍率である場合は当該ズーム倍率が大きな値であるほど拡大率を小さくするように、前記取得したパラメータが先鋭度である場合は当該先鋭度が小さな値であるほど拡大率を小さくするように、前記取得したパラメータに基づいて前記拡大表示制御部が画像の一部を拡大して表示する際の拡大率を変化させることを特徴とする。
【００１０】
請求項４に記載の発明は、請求項１〜３の何れか１項に記載の撮像装置において、前記拡大率制御部は、前記取得したパラメータに基づいて変化後の拡大率の目標値を決定し、前記拡大表示制御部が画像の一部を拡大して表示する際の拡大率が前記決定した目標値に徐々に近づくように拡大率の時間変化量を算出し、当該算出した時間変化量に基づいて前記拡大表示制御部が画像の一部を拡大して表示する際の拡大率を時間とともに変化させることを特徴とする。
【００１１】
請求項５に記載の発明は、前記拡大率制御部は、前記取得したパラメータに基づいて、前記拡大表示制御部が画像の一部を拡大して表示する際の拡大率をその時点で設定されている拡大率に対して増減する又は維持するかを決定し、前記拡大率を増減すると決定した場合に、所定の拡大率の時間増減量に基づいて前記拡大表示制御部が画像の一部を拡大して表示する際の拡大率を時間とともに変化させることを特徴とする。
【００１２】
請求項６に記載の発明は、請求項４に記載の撮像装置において、当該撮像装置の揺れ量を検出する揺れ量検出センサを備え、前記拡大率制御部は、前記揺れ量検出センサにて検出される揺れ量を前記手振れ量として用い、当該揺れ量及び光学ズーム倍率に基づいて前記目標値を決定することを特徴する。
【００１３】
請求項７に記載の発明は、請求項５に記載の撮像装置において、前記拡大率制御部は、前記所定の拡大率で拡大した画像の振れ量を算出し、当該拡大した画像の振れ量を前記手振れ量として前記拡大表示制御部が画像の一部を拡大して表示する際の拡大率をその時点で設定されている拡大率に対して増減する又は維持するかを決定することを特徴とする。
【００１４】
請求項８に記載の発明は、請求項１〜４の何れか１項に記載の撮像装置において、前記撮像部により生成される画像の高周波成分を検出する画像処理に基づいて前記先鋭度を算出する先鋭度算出部を備え、前記拡大率制御部は、前記先鋭度を前記先鋭度算出部より入力することを特徴とする。
【００１５】
請求項９に記載の発明は、請求項１〜８の何れか１項に記載の撮像装置において、前記手動操作によるフォーカス調整に加えて、自動操作によるフォーカス調整が可能に構成され、前記手動操作によるフォーカス調整のモードと前記自動操作によるフォーカス調整のモードとを切換えるモード切換部を備え、前記拡大表示制御部は、前記モード切換部により前記手動操作によるフォーカス調整のモードに切換えられた場合に、前記画像の一部を所定の拡大率で拡大しながら前記表示部に表示する制御を行うことを特徴とする。
【００１６】
請求項１０に記載の発明は、請求項１〜８に記載の撮像装置において、前記手動操作によるフォーカス調整に加えて、自動操作によるフォーカス調整が可能に構成され、前記手動操作によるフォーカス調整のモードと前記自動操作によるフォーカス調整のモードとを切換えるモード切換部と、前記モード切換部により前記手動操作によるフォーカス調整のモードに切換えられた場合に、前記フォーカス調整用の確認画面を表示させるか否かを選択させる選択部と、を備え、前記拡大表示制御部は、前記選択部により前記フォーカス調整用の確認画面を表示させると選択された場合に、前記画像の一部を所定の拡大率で拡大しながら前記表示部に表示する制御を行うことを特徴とする。
【００１７】
請求項１１に記載の発明は、請求項１〜１０の何れか１項に記載の撮像装置において、
前記拡大表示制御部は、前記所定の拡大率で拡大しながら表示する前記画像の一部を前記表示部に備わる表示画面の一部にのみ表示する制御を行うことを特徴とする。
【発明の効果】
【００１８】
したがって、本発明は、ライブビュー表示された画像に基づいて手動操作によるフォーカス調整が可能で、当該フォーカス調整を容易にする撮像装置を提供できる。
【図面の簡単な説明】
【００１９】
【図１】本発明の実施形態１における撮像装置の要部構成を示すブロック図である。
【図２】表示部において、画像をライブビュー表示した表示画面を例示する図であり、（ｉ）は、拡大した画像を表示画面全体に亘って表示した状態を、（ｉｉ）は拡大した画像を表示画面の一部にのみ表示した状態を、それぞれ示す。
【図３】本発明の実施形態１の評価値テーブルを説明するための模式図である。
【図４】本発明の実施形態１の撮像装置による拡大率調整処理を説明するためのフローチャートである。
【図５】本発明の実施形態２における撮像装置の要部構成を示すブロック図である。
【図６】本発明の実施形態２における設定拡大率の増減又は維持の決定処理を説明するための図であり、（ｉ）は評価値テーブルを、（ｉｉ）は評価値対応表をそれぞれ示す。
【図７】本発明の実施形態２の撮像装置による拡大率調整処理を説明するためのフローチャートである。
【図８】本発明の実施形態３における撮像装置の要部構成を示すブロック図である。
【図９】本発明の実施形態３の撮像装置による拡大率調整処理を説明するためのフローチャートである。
【発明を実施するための形態】
【００２０】
以下、本発明について、図面を用いて具体的な態様を説明する。ただし、発明の範囲は図示例に限定されない。
【００２１】
（実施形態１）
本実施形態に係る撮像装置１は、被写体を撮像するデジタルカメラ等である。そして、撮像装置１は、図１に示されるように、制御部１０と、撮像部２０と、画像処理部３０と、駆動部４０と、揺れ量検出部５０と、操作部６０と、計時部７０と、表示部８０と、記憶部９０と、を含んで構成される。
【００２２】
撮像部２０は、被写体を撮像して画像を生成する。具体的には、撮像部２０は、図示は省略するが、撮像レンズ部、絞り機構、電子撮像部、撮像処理部等から構成されている。
【００２３】
撮像レンズ部は、ズームレンズやフォーカスレンズ等を備え、被写体からの光を電子撮像部に結像させる。
【００２４】
絞り機構は、撮像レンズ部を介した光を制御部１０で制御される絞り値で絞り、露出を調整する。
【００２５】
電子撮像部は、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−ｏｘｉｄｅ  Ｓｅｍｉｃｏｎｄｕｃｔｏｒ）等の撮像素子で構成され、撮像レンズ部の各種レンズや絞り機構を通過した被写体像を二次元の画像信号に変換する。
【００２６】
撮像処理部は、図示は省略するが、例えば、タイミング発生器、垂直ドライバなどを備えている。そして、撮像処理部は、タイミング発生器、垂直ドライバにより電子撮像部を走査駆動させて、所定周期毎に被写体像を電子撮像部で二次元の画像信号に変換させ、当該電子撮像部の撮像領域から１画面分ずつ画像フレームを読み出して画像処理部３０に出力する。
【００２７】
画像処理部３０は、撮像部２０（撮像処理部）から転送された画像フレームに基づいて、画質調整処理や解像度変換処理や画像圧縮処理等を行って、撮像部２０にて生成される画像を表示用の画像や記録用の画像に変換する処理を行う。具体的には、画像処理部３０は、撮像処理部から転送された画像フレームのアナログ値の信号に対してＲＧＢの各色成分毎に適宜ゲイン調整した後に、サンプルホールド回路（図示省略）でサンプルホールドして、Ａ／Ｄ変換器（図示省略）でデジタルデータに変換する。そして、画像処理部３０は、当該デジタルデータに対してカラープロセス回路（図示省略）で画素補間処理及びγ補正処理を含むカラープロセス処理を行った後、デジタル値の輝度信号Ｙ及び色差信号Ｃｂ，Ｃｒを生成する。当該カラープロセス回路から出力される輝度信号Ｙ及び色差信号Ｃｂ，Ｃｒは、ＤＭＡコントローラ（図示省略）を介して、制御部１０のメモリ部１２にＤＭＡ転送される。
【００２８】
駆動部４０は、モータやギア等（図示省略）からなり、制御部１０より出力される制御信号に応じて駆動する。そして、駆動部４０は、撮像部２０により被写体を撮像する際に、撮像素子を駆動する撮像素子駆動部４１や、ズームレンズやフォーカスレンズを光軸方向に移動させるレンズ駆動部４２等で構成される。
【００２９】
揺れ量検出部５０は、図示しないジャイロセンサや演算回路を含んで構成される。そして、揺れ量検出部５０は、揺れ量検出センサとしてのジャイロセンサにより２軸方向それぞれの角速度を検出し、検出された角速度に基づいて演算回路で撮像装置１の揺れ量を算出する演算処理を行い、算出された揺れ量が制御部１０へ出力されるように構成されている。
【００３０】
操作部６０は、撮像部２０により撮像を行うための撮像モードと当該撮像された画像を表示部８０で再生（表示）するための再生モードとを切換えるための切換ボタン、撮像部２０による撮像処理を実行させるためのシャッターボタン、ユーザの手動操作によるフォーカス調整のモード（マニュアルフォーカスモード）と自動操作によるフォーカス調整のモード（オートフォーカスモード）とを切換えるための切換スイッチや、マニュアルフォーカスモードに切換えられた状態で、フォーカス調整を行うための調整ボタンやフォーカス調整用の確認画面を表示するための表示ボタン、光学ズーム倍率（ズームレンズによる光学ズームの倍率）を任意の倍率に設定するための設定ボタン等を備える。そして、操作部６０は、ユーザが当該ボタンやスイッチを操作した際に、操作内容に応じた操作信号を制御部１０に対して出力するように構成されている。そのため、当該操作信号を入力した制御部１０により、操作内容に応じた各種制御処理が実行される。
なお、表示ボタンは、ユーザにより当該表示ボタンが押下されている間だけをフォーカス調整用の確認画面を表示するための決定がなされた、と制御部１０が判断するボタンとして機能させてもよい。また、表示ボタンは、ユーザにより当該表示ボタンが一度押下されるとフォーカス調整用の確認画面の表示が選択された際の動作モードを制御部１０に実行させ、再度押下されると当該動作モードを解除する処理を制御部１０に実行させるような、トグル動作が可能なボタンとしてもよい。また、予めメニュー操作を介してユーザが表示ボタンの機能を設定しておけるようにしてもよい。
【００３１】
計時部７０は、時間を計時し、当該計時した時間に関する信号を制御部１０へ出力するように構成される。
【００３２】
表示部８０は、メモリ部１２に記憶される画像を読み出して、撮像部２０により撮像された撮像画像を表示画面に表示する。具体的に、表示部８０は、図示は省略するが、デジタルビデオエンコーダ等を備え、制御部１０の制御下にて入力された画像にエンコード処理を施してビデオ信号を発生させ、当該ビデオ信号に基づいて画像を表示画面に表示する。  
また、表示部８０は、ユーザが操作部６０を介してマニュアルフォーカスモードへの切換え操作を行うと、操作部６０にて設定される光学ズーム倍率に応じて撮像部２０で撮像される複数の画像フレームに基づく画像の全体を連続的に表示画面に表示（ライブビュー表示）する。つまり、ユーザは、マニュアルフォーカスモードにて表示部８０の表示画面をファインダーとして使用することができる。
【００３３】
記憶部９０は、不揮発性メモリ等により構成され、画像処理部３０より出力される画像を記憶用の画像データとして記憶する。そして、操作部６０にて再生モードへの切換え操作が実行されると、制御部１０により、当該記憶部９０に記憶された画像データが読み出され、再生用の画像として表示部６０の表示画面に表示されるように構成されている。
【００３４】
制御部１０は、ＣＰＵ（Ｃｅｎｔｒａｌ  Ｐｒｏｃｅｓｓｉｎｇ  Ｕｎｉｔ）１１と、メモリ部１２と、を含んで構成され、撮像装置１の各部を統括制御する。具体的には、制御部１０は、ユーザによる操作部６０を用いた撮像操作や光学ズーム倍率の設定操作やフォーカス位置の調整操作に応じた駆動部４０（撮像素子駆動部４１及びレンズ駆動部４２）の駆動制御、撮像部２０による被写体の撮像の際の露出条件（例えば、シャッター速度や絞り値等の条件）を自動調整する自動露出処理（ＡＥ処理）、操作部６０にてオートフォーカスモードに切換えられた際に、フォーカスレンズを被写体に対するフォーカス位置に自動で合わせるオートフォーカス処理、などを行う。
【００３５】
ＣＰＵ１１は、メモリ部１２に記憶された撮像装置１用の各種処理プログラムに従って各種の制御動作を行う。
メモリ部１２は、ＣＰＵ１１によって処理されるデータ等を一時的に記憶するためのバッファメモリや、ＣＰＵ１１の実行に係る各種プログラムやデータを記憶するためのプログラムメモリで構成される。そして、メモリ部１２に記憶されるプログラムとしては、拡大表示制御プログラム、拡大率調整プログラム、データとしては、後述の拡大率調整プログラムの実行にかかる評価値テーブルがある。
【００３６】
次に、メモリ部１２に記憶された各種プログラムについて説明する。
【００３７】
拡大表示制御プログラムは、撮像部２０にて順次生成される画像の一部を所定の拡大率
で拡大しながら表示部８０に表示する制御を行う機能をＣＰＵ１１に実行させるプログラムである。
具体的には、ユーザが操作部６０の切換スイッチでマニュアルフォーカスモードに切換え、且つ当該マニュアルフォーカスモードにて表示ボタンを押下すると、ＣＰＵ１１は、順次撮像部２０にて撮像されてライブビュー表示の対象となる画像（つまり、操作部６０にて設定される光学ズーム倍率に応じて撮像部２０で撮像された画像）に対し、トリミングと拡大処理を施すことで、当該画像の一部を更に所定の拡大率（予め定められた初期値としての拡大率や、後述の拡大率調整プログラムの実行時に変化させる拡大率）で拡大しながら、フォーカス調整用の確認画面５００として表示部８０に表示する制御を行う。ここで、フォーカス調整用の確認画面５００は、図２（ｉ）に示すように、表示部８０の表示画面全体に亘って表示するように構成しても良いし、図２（ｉｉ）に示すように、通常の（つまり、上記拡大処理等を施していない）ライブビュー表示が行われている表示部８０の表示画面の一部にのみ表示するように構成しても良い。また、ユーザが操作部６０を操作することで、ＣＰＵ１１が、フォーカス調整用の確認画面５００が表示画面全体に亘って表示されるパターンと、表示画面の一部にのみ表示されるパターンと、を切換えて表示する制御を行うように構成しても勿論良い。
【００３８】
拡大率調整プログラムは、表示部８０に画像の一部が拡大して表示されているときの手振れ量及び光学ズーム倍率に基づいて、拡大表示制御プログラムの実行時に画像の一部を拡大して表示する際の拡大率を変化させる機能をＣＰＵ１１に実行させるプログラムである。
具体的には、拡大表示制御プログラムの実行によりフォーカス調整用の確認画面として画像の一部が拡大して表示されると、ＣＰＵ１１は拡大率調整プログラムを実行し、揺れ量検出部５０より撮像装置１の揺れ量（手振れ量）を入力し、レンズ駆動部４２へ出力した駆動制御信号に基づいて光学ズーム倍率を取得する。つまり、ＣＰＵ１１は、マニュアルフォーカスモードにて画像の一部が表示部８０に拡大して表示され、ユーザがフォーカス調整を行う際の手振れ量と光学ズーム倍率とをパラメータとして取得する。そして、ＣＰＵ１１は、図３に示す評価値テーブルをメモリ部１２より読み出して、取得したパラメータ（揺れ量及び光学ズーム倍率）に対応する評価値を抽出する。そして、ＣＰＵ１１は、当該抽出した評価値に応じて目標拡大率（拡大率を変化させた際の、変化後の拡大率の目標値）を決定する。
ここで、表示部８０に表示される画像の一部が拡大された状態で、揺れ量や光学ズーム倍率が大きな値であるほど、表示画面中の被写体が容易に大きな位置変化を行って被写体を見失い易くなり、マニュアルフォーカスモードにおけるユーザのフォーカス調整が困難となる。そのため、ＣＰＵ１１は、評価値テーブルにおいて光学ズーム倍率と振れ量の積算値に対応する評価値が大きな値であるほど、より小さな値となるように目標拡大率を決定する。
さらに、ＣＰＵ１１は、拡大表示制御プログラムの実行時に画像の一部を拡大して表示する際の拡大率（設定拡大率）が上記決定した目標拡大率に徐々に近づくように、設定拡大率と目標拡大率との差分量を、拡大率を変化させる時間の総和で除して、拡大率の時間変化量を算出する。そして、ＣＰＵ１１は、当該算出した時間変化量に基づいて拡大率を時間とともに変化させる処理を行う。
なお、図３に示す評価値テーブルでは、光学ズーム倍率と振れ量の積算値を評価値としているが、例えば、目標拡大率そのものを評価値として記載したものであっても勿論良い。
【００３９】
（拡大率調整処理）
次に、本実施形態に係る撮像装置１による拡大率調整処理について図４のフローチャートを用いて説明する。
【００４０】
まず、操作部６０を介して、ユーザにより電源がオンされ、撮像モードに切り換えられると、ＣＰＵ１１が設定拡大率を予め定められた初期値に設定する（ステップＳ１０１）。
次いで、ＣＰＵ１１は、ユーザが操作部６０（切換スイッチ）を操作して、マニュアルフォーカスモードに切換えたか否か（マニュアルフォーカスモードが維持されているか否か）を判断する（ステップＳ１０２）。
そして、ＣＰＵ１１は、ステップＳ１０２にてマニュアルフォーカスモードに切換えていないと判断する場合（ステップＳ１０２；Ｎｏ）、オートフォーカスモードに切換えられているものとしてオートフォーカス処理を実行し（ステップＳ１０３）、ステップＳ１１４の処理へ進む。なお、上記オートフォーカス処理では、以下に説明するマニュアルフォーカスモードにおけるＣＰＵ１１の拡大表示制御プログラムの実行処理と異なり、フォーカス確認用の拡大表示を行うことなく、光学ズーム倍率に応じた画像の全体を表示部８０の表示画面に表示する通常のライブビュー表示を行う。そして、オートフォーカス処理におけるライブビュー表示では、フォーカス確認用の拡大表示を行う代わりに、オートフォーカスのフォーカス調整の対象となる被写体領域を示すＡＦ枠を表示する。
【００４１】
一方で、ＣＰＵ１１は、ステップＳ１０２にてマニュアルフォーカスモードに切換えたと判断する場合（ステップＳ１０２；Ｙｅｓ）、撮像部２０を介して被写体を撮像して画像を生成する（ステップＳ１０４）。
次いで、ＣＰＵ１１は、ユーザが操作部６０（表示ボタン）を操作して、フォーカス調整用の確認画面の表示を選択したか否かを判断する（ステップＳ１０５）。
そして、ＣＰＵ１１は、ステップＳ１０５にてフォーカス調整用の確認画面の表示が選択されていないと判断する場合（ステップＳ１０５；Ｎｏ）、ステップＳ１０４にて生成された画像全体（つまり、拡大処理を施さない画像そのもの）を表示部８０に表示させ（ステップＳ１０６）、ステップＳ１１４の処理へ進む（通常のライブビュー表示の処理を行う）。
一方で、ＣＰＵ１１は、フォーカス調整用の確認画面の表示を選択したと判断する場合（ステップＳ１０５；Ｙｅｓ）、拡大表示制御プログラムを実行し、ステップＳ１０４にて生成された画像の一部を設定拡大率で拡大して表示する（ステップＳ１０７）。そして、ユーザは、ステップＳ１０７で拡大された画像を表示部６０で視認し、必要に応じてフォーカス調整のための操作部６０（調整ボタン）の操作や、光学ズーム倍率を変更するための操作部６０（設定ボタン）の操作を行う。
【００４２】
次いで、ＣＰＵ１１は、拡大率調整プログラムを実行し、撮像装置１の揺れ量と光学ズーム倍率とを取得する（ステップＳ１０８）。そして、ＣＰＵ１１は、ステップＳ１０８で取得したパラメータ（揺れ量及び光学ズーム倍率）に対応する評価値をメモリ部１２の評価値テーブルより抽出して、目標拡大率を決定する（ステップＳ１０９）。ここで、ＣＰＵ１１は、設定拡大率とステップＳ１０９で決定した目標拡大率とが同じであるか否かを判断し（ステップＳ１１０）、同じであると判断する場合（ステップＳ１１０；Ｙｅｓ）、拡大率を変化させることなくステップＳ１１４の処理へ進む。
一方で、ＣＰＵ１１は、ステップＳ１１０で同じでないと判断する場合（ステップＳ１１０；Ｎｏ）、設定拡大率と目標拡大率との差分量より拡大率の時間変化量（単位時間当たりの変化量）を算出する（ステップＳ１１１）。
次いで、ＣＰＵ１１は、ステップＳ１１１で算出した時間変化量に基づいて、設定拡大率を目標拡大率に向けて時間変化（単位時間毎に所定量ずつ変化）させる（ステップＳ１１２）。そして、ＣＰＵ１１は、計時部７０より出力される時間に関する信号に基づいて、ステップＳ１１２の処理の開始時点よりあらかじめ定められた時間に達したか否かによって、設定拡大率が目標拡大率に達したか否かを判断し（ステップＳ１１３）、目標拡大率に達していないと判断した場合（ステップＳ１１３；Ｎｏ）、ステップＳ１１２以降の処理を繰り返す。
【００４３】
一方で、ＣＰＵ１１は、ステップＳ１１３にて目標拡大率に達したと判断した場合（ステップＳ１１３；Ｙｅｓ）、その他の処理として、ユーザによる操作部６０を介したフォーカス調整の操作／光学ズーム倍率の設定の操作に応じたフォーカス調整処理／光学ズーム倍率の調整処理、ＡＥ処理や操作部６０にてシャッターボタンが押下されたか否かの判断処理、シャッターボタンが押下された場合の画像のメモリ部１２や記憶部９０等への記録処理等を行う（ステップＳ１１４）。
そして、ＣＰＵ１１は、操作部６０を介してユーザにより再生モードに切換えられたか否か等により、ユーザによる撮像が終了したか否かを判断し（ステップＳ１１５）、撮像が終了していないと判断した場合（ステップＳ１１５；Ｎｏ）、ステップＳ１０２以降の処理を繰り返す。一方で、ＣＰＵ１１は、ステップＳ１１５にて撮像が終了したと判断した場合（ステップＳ１１５；Ｙｅｓ）、本処理を終了する。
【００４４】
以上により、本実施形態における撮像装置１によると、ＣＰＵ１１が拡大率調整プログラムを実行することで、表示部８０に画像の一部が拡大して表示されているときの（マニュアルフォーカスモードにてユーザがフォーカス調整や光学ズーム倍率の調整を行う際の）パラメータを取得し、当該取得したパラメータに基づいて拡大表示制御プログラムの実行時に画像の一部を拡大して表示する際の拡大率を変化させることができる。つまり、撮像装置１を上記のように拡大率を変化させることが可能なように構成することで、表示部８０に画像が表示される際の拡大率が適切でなく、表示画面中の被写体が大きな位置変化を行ってユーザのフォーカス調整が困難となる事態を防止することが出来る。
したがって、撮像装置１は、ライブビュー表示された画像に基づいて手動操作によるフォーカス調整が可能で、当該フォーカス調整を容易にすることができるといえる。
【００４５】
また、撮像装置１において、操作部６０により光学ズーム倍率を任意の倍率に設定可能であり、表示部８０により操作部６０で設定される光学ズーム倍率に応じて撮像部２０にて生成される画像の全体を表示し、ＣＰＵ１１が拡大表示制御プログラムを実行することで、設定された光学ズーム倍率に応じて撮像部２０にて生成される画像の一部を更に所定の拡大率で拡大しながら表示部８０に表示することができる。つまり、撮像装置１は、ズームレンズを用いた光学ズーム機能とは別に、トリミングや拡大処理を介した画像の一部の拡大表示機能を別途備えている。
【００４６】
また、撮像装置１は、ＣＰＵ１１が拡大率調整プログラムを実行することで、パラメータとしての手振れ量、光学ズーム倍率が大きな値であるほど、目標拡大率が小さな値となるように設定拡大率を変化させる。つまり、揺れ量や光学ズーム倍率が大きな値であるほど、表示画面中の被写体が大きな位置変化を行ってフォーカス調整が一層困難なものとなるため、目標拡大率をより小さな値にすることで、ユーザによるフォーカス調整を容易にすることができる。
【００４７】
また、撮像装置１は、ＣＰＵ１１が拡大率調整プログラムを実行することで、取得したパラメータに基づいて目標拡大率を決定し、設定拡大率が目標拡大率に徐々に近づくように拡大率の時間変化量を算出し、当該算出した時間変化量に基づいて設定拡大率を時間とともに変化させることできる。つまり、設定拡大率から目標拡大率へと瞬時に拡大率を変化させるのではなく、徐々に拡大率を変化させることができるので、表示部８０を視認するユーザに違和感を与えることがない。
【００４８】
また、撮像装置１は、揺れ量検出部５０を備え、ＣＰＵ１１が拡大率調整プログラムを実行することで、揺れ量検出部５０より検出される撮像装置１の揺れ量を手振れ量として、光学ズーム倍率とともに目標拡大率を決定するように構成される。つまり、揺れ量と光学ズーム倍率の双方に基づいて目標拡大率を決定するので、設定拡大率を一層適切な拡大率へと変化させることができる。
【００４９】
また、撮像装置１は、操作部６０によりマニュアルフォーカスモードとオートフォーカスモードとが切換えられるように構成され、マニュアルフォーカスモードに切換えられた場合に、表示部８０にフォーカス調整用の確認画面を表示する制御を行う。つまり、撮像装置１は、マニュアルフォーカスモードに切換えられた場合にのみフォーカス調整用の確認画面が表示されるので、オートフォーカスモードを選択するユーザに無用の混乱を招くことを防止できる。
【００５０】
また、撮像装置１は、操作部６０によりマニュアルフォーカスモードに切換えられた場合にフォーカス調整用の確認画面５００を表示させるか否かを選択させるように構成され、フォーカス調整用の確認画面５００を表示させると選択された場合に、フォーカス調整用の確認画面５００を表示させる制御を行う。つまり、ユーザは、マニュアルフォーカスモードに切換えた状態で、当該フォーカス調整用の確認画面５００を表示させるか否かを自由に選択できるので、ユーザにとっての撮像装置１の利便性が向上する。
【００５１】
また、撮像装置１は、表示部８０の表示画面の一部にのみフォーカス調整用の確認画面
５００を表示するように制御を行うことが可能である。つまり、ユーザは当該表示画面の一部でフォーカス調整を行うとともに、上記一部以外の表示画面を通して、画角内の被写体の確認など、他の作業を並行して行うことが可能となるので撮像装置１の利便性が向上する。
【００５２】
（実施形態２）
次に、実施形態２に係る撮像装置１ａについて、図５〜図７を用いて説明する。
ここで、実施形態１に係る撮像装置１では、揺れ量検出部５０より検出される撮像装置１の揺れ量を手振れ量として、揺れ量と光学ズーム倍率とに基づいて目標拡大率を決定するように構成されていたが、撮像装置１ａでは、設定拡大率で拡大した画像の振れ量を手振れ量として、目標拡大率を決定することなく、振れ量に基づいて設定拡大率を増減する又は維持するかを決定する点で実施形態１と相違する。
なお、以下の撮像装置１ａの説明において、実施形態１に係る撮像装置１と同様の構成については同じ符号を付し、説明を省略する。
【００５３】
撮像装置１ａは、図５に示されるように、制御部１０と、撮像部２０と、画像処理部３０と、駆動部４０と、操作部６０と、計時部７０と、表示部８０と、記憶部９０と、を含んで構成される。
【００５４】
制御部１０のメモリ部１２ａは、ＣＰＵ１１によって処理されるデータ等を一時的に記憶するためのバッファメモリや、ＣＰＵ１１の実行に係る各種プログラムやデータを記憶するためのプログラムメモリで構成される。そして、メモリ部１２ａに記憶されるプログラムとしては、拡大表示制御プログラム、拡大率調整プログラム、データとしては、後述の拡大率調整プログラムの実行にかかる評価値テーブルや評価値対応表等がある。
【００５５】
次に、メモリ部１２ａに記憶された拡大率調整プログラムについて説明する。
【００５６】
拡大率調整プログラムは、表示部８０に画像の一部が拡大して表示されているときの画像の振れ量に基づいて、拡大表示制御プログラムの実行時に画像の一部を拡大して表示する際の拡大率を変化させる機能をＣＰＵ１１に実行させるプログラムである。
具体的には、拡大表示制御プログラムの実行によりフォーカス調整用の確認画面として画像の一部が拡大して表示部８０に表示されると、ＣＰＵ１１は拡大率調整プログラムを実行し、拡大表示制御プログラム実行時にフォーカス調整用の確認画面に表示されている画像と、当該画像よりも１つ前の画像フレームに基づく画像とを比較して、拡大した画像の振れ量（動き量）を算出する。そして、ＣＰＵ１１は、算出した振れ量に基づいて、図６（ｉ）に示す評価値テーブルをメモリ部１２ａより読み出して、取得したパラメータ（振れ量）に対応する評価値を抽出する。次に、ＣＰＵ１１は、図６（ｉｉ）に示す評価値対応表をメモリ部１２ａより読み出して、抽出した評価値に応じて設定拡大率をその時点で設定されている拡大率に対して増減する又は維持するかを決定する。
また、ＣＰＵ１１が、設定拡大率を増減すると決定した場合（例えば、図６（ｉｉ）に示す評価値対応表における評価値が１〜４又は１６以上であった場合）、拡大率の時間増減量に従って、拡大率を予め定めた設定時間等が経過するまで時間とともに変化させる処理を行う。上記拡大率の時間増減量とは、時間とともに設定拡大率が徐々に増加又は減少するように、予め定められた単位時間あたりの拡大率の増加量又は減少量であり、評価値に依存しない一定値である。
ここで、画像の一部が拡大された状態で、拡大した画像の振れ量が大きな値であるほど、表示部８０の表示画面中の被写体が容易に大きな位置変化を行い、マニュアルフォーカスモードにおけるユーザのフォーカス調整が困難となる。そのため、ＣＰＵ１１は、拡大した画像の振れ量（に対応する評価値）が大きな値であるほど、変化後の拡大率がより小さな値となるように設定時間を設定する（つまり、増加させる場合はより短時間に、減少させる場合はより長時間になるように設定する）。
【００５７】
（拡大率調整処理）
次に、本実施形態に係る撮像装置１ａによる拡大率調整処理について図７のフローチャートを用いて説明する。
ここで、ステップＳ１０１〜ステップＳ１０７、及びステップＳ１１４〜ステップＳ１１５の処理は、実施形態１における拡大率調整処理と同様の処理であるので説明を省略する。
【００５８】
ＣＰＵ１１は、拡大率調整プログラムを実行し、ステップＳ１０７で拡大された画像の振れ量を取得（算出）する（ステップＳ１０８ａ）。そして、ＣＰＵ１１は、ステップＳ１０８ａで取得したパラメータ（振れ量）に対応する評価値をメモリ部１２ａの評価値テーブルより抽出する（ステップＳ１０９ａ）。ここで、ＣＰＵ１１は、抽出した評価値が評価値対応表における維持範囲内（図６（ｉｉ）に示す評価値５〜１５の範囲内）にあるか否かを判断し（ステップＳ１１０ａ）、維持範囲内にあると判断する場合（ステップＳ１１０ａ；Ｙｅｓ）、拡大率を変化させることなくステップＳ１１４の処理へ進む。
一方で、ＣＰＵ１１は、ステップＳ１１０ａで維持範囲内にないと判断する場合（ステップＳ１１０ａ；Ｎｏ）、設定時間を設定して、設定拡大率を時間増減量に応じて時間変化させる（ステップＳ１１１ａ）。そして、ＣＰＵ１１は、計時部７０より出力される時間に関する信号に基づいて、上記設定時間が経過したか否かを判断し（ステップＳ１１２ａ）、設定時間が経過していないと判断した場合（ステップＳ１１２ａ；Ｎｏ）、ステップＳ１１１ａ以降の処理を繰り返す。一方で、ＣＰＵ１１は、設定時間が経過したと判断した場合（ステップＳ１１２ａ；Ｙｅｓ）、ステップＳ１１４の処理へ進む。
【００５９】
以上により、本実施形態における撮像装置１ａによると、実施形態１における撮像装置１と同様の効果が得られるのは勿論のこと、ＣＰＵ１１が拡大率調整プログラムを実行すると、取得したパラメータに基づいて設定拡大率をその時点で設定されている拡大率に対して増減する又は維持するかを決定し、拡大率の時間増減量に基づいて設定拡大率を時間とともに増減させるので、目標拡大率を算出する必要がなく、撮像装置１に比べて制御部１０の処理負担の軽減が期待できる。
【００６０】
また、撮像装置１ａは、ＣＰＵ１１が拡大率調整プログラムを実行する際に算出する拡大した画像の振れ量を手振れ量として、設定拡大率を増減する又は維持するかを決定するので、揺れ量検出用のセンサ等により撮像装置１ａの揺れ量を検出する構成が不要なため、撮像装置１ａの製造コストの低減が図れる。
【００６１】
（実施形態３）
次に、実施形態３に係る撮像装置１ｂについて、図８〜図９を用いて説明する。
ここで、実施形態２に係る撮像装置１ａは、拡大した画像の振れ量を手振れ量として、目標拡大率を決定することなく振れ量に基づいて設定拡大率をその時点で設定されている拡大率に対して増減する又は維持するかを決定するように構成されていたが、実施形態３に係る撮像装置１ｂは、撮像部２０により生成される画像の高周波成分を検出する画像処理に基づいて先鋭度を取得し、当該先鋭度を上記手振れ量と同様のパラメータとして、目標拡大率を決定することなく先鋭度に基づいて設定拡大率を増減する又は維持するかを決定するように構成する点で実施形態２と相違する。
なお、以下の撮像装置１ｂの説明において、実施形態１に係る撮像装置１及び実施形態２に係る撮像装置１ａと同様の構成については同じ符号を付し、説明を省略する。
【００６２】
撮像装置１ｂは、図８に示されるように、制御部１０と、撮像部２０と、画像処理部３０と、駆動部４０と、表示部８０と、計時部７０と、操作部６０と、記憶部９０と、高周波成分検出部１００ｂと、を含んで構成される。
【００６３】
高周波成分検出部１００ｂは、撮像部２０にて生成される画像に対して、高周波成分を
検出する画像処理に基づいて先鋭度を取得する。具体的には、高周波成分検出部１００ｂは、生成された画像に対して２次元フーリエ変換を施し、上記画像を周波数領域の関数に変換する。そして、高周波成分検出部１００ｂは、例えば、当該変換された関数に対してハイパスフィルタ用のフィルタ関数との積を算出する処理を行う等によって、全周波数成分の中で所定の周波数以上の成分の割合を算出して、当該算出結果を先鋭度として制御部１０に出力する。
【００６４】
制御部１０のメモリ部１２ｂは、ＣＰＵ１１によって処理されるデータ等を一時的に記憶するためのバッファメモリや、ＣＰＵ１１の実行に係る各種プログラムやデータを記憶するためのプログラムメモリで構成される。そして、メモリ部１２ｂに記憶されるプログラムとしては、拡大表示制御プログラム、拡大率調整プログラム、データとしては、後述の拡大率調整プログラムの実行にかかる評価値テーブルや評価値対応表等がある。
【００６５】
次に、メモリ部１２ｂに記憶された拡大率調整プログラムについて説明する。
【００６６】
拡大率調整プログラムは、高周波成分検出部１００ｂより出力される先鋭度に基づいて、
拡大表示制御プログラムの実行時に画像の一部を拡大して表示する際の拡大率を変化させる機能をＣＰＵ１１に実行させるプログラムである。
具体的には、拡大表示制御プログラムの実行によりフォーカス調整用の確認画面として画像の一部が拡大して表示されると、ＣＰＵ１１は高周波成分検出部１００ｂより出力される先鋭度を取得する。そして、ＣＰＵ１１は、取得した先鋭度に基づいて、評価値テーブルをメモリ部１２より読み出して、取得したパラメータ（先鋭度）に対応する評価値を抽出する。ここで、先鋭度は被写体に対するフォーカス調整の調整度合い（ユーザの視覚が被写体を先鋭な像として捉える度合い）を表すものであるため、先鋭度に対する評価値テーブルは、図６（ｉ）に示す振れ量に対する評価値テーブルとは逆に、先鋭度が小さな値であるほど大きな評価値が割り振られる。
次に、ＣＰＵ１１は、図６（ｉｉ）と同じ評価値対応表をメモリ部１２ｂより読み出して、当該抽出した評価値に応じて設定拡大率を増減する又は維持するかを決定する。
さらに、ＣＰＵ１１が、設定拡大率を増減すると決定した場合（例えば、図６（ｉｉ）に示す評価値対応表における評価値が１〜４又は１６以上であった場合）、拡大率の時間増減量（時間とともに設定拡大率が徐々に増加又は減少するように、予め定められた単位時間あたりの拡大率の増加量又は減少量）に従って、拡大率を予め定めた設定時間等が経過するまで時間とともに変化させる処理を行う。
ここで、画像の一部が拡大された状態で、先鋭度が小さな値であるほど、表示部８０における表示画面中の被写体がピンボケ状態とユーザに認識され、マニュアルフォーカスモードにおけるユーザのフォーカス調整が困難となる。そのため、ＣＰＵ１１は、先鋭度が小さな値であるほど、変化後の拡大率がより小さな値となるように設定時間を設定する。
【００６７】
（拡大率調整処理）
次に、本実施形態に係る撮像装置１ｂによる拡大率調整処理について図９のフローチャートを用いて説明する。
ここで、ステップＳ１０８ｂ以外の処理は、実施形態２における拡大率調整処理と同様の処理であるので説明を省略する。
【００６８】
ステップＳ１０７までの処理の実行後、ＣＰＵ１１は、ステップＳ１０７で画像の一部が拡大されて表示部８０に表示されると、拡大率調整プログラムを実行し、ユーザが当該画像を用いてフォーカス調整を行う際の先鋭度を高周波成分検出部１００ｂより取得する（ステップＳ１０８ｂ）。そして、ＣＰＵ１１は、ステップＳ１０８ｂにて取得した先鋭度に基づいて、ステップＳ１０９ａ以降の処理を行う。
【００６９】
以上により、本実施形態における撮像装置１ｂによると、実施形態２における撮像装置１ａと同様の効果が得られるのは勿論のこと、ＣＰＵ１１が拡大率調整プログラムを実行して、取得したパラメータに基づいて設定拡大率を増減する又は維持するかを決定するにあたって、実施形態２では設定拡大率で拡大した画像の振れ量をパラメータとして算出する必要があったが、撮像装置１ｂでは高周波数成分検出部１００ｂより出力される先鋭度をパラメータとして入力するだけでよいため、制御部１０の処理負担の軽減が図れる。
【００７０】
なお、以上の実施形態における記述は、本発明に係る好適な画像形成装置の一例であり、これに限定されるものではない。
また、以上の実施形態における画像形成装置を構成する各部の細部構成及び細部動作に関して本発明の趣旨を逸脱することのない範囲で適宜変更可能である。
【００７１】
例えば、実施形態１に係る撮像装置１や実施形態２に係る撮像装置１ａに、実施形態３の高周波数成分検出部１００ｂを備えておき、ＣＰＵ１１が拡大率調整プログラムを実行する際に、評価値を決定付けるパラメータとして、手振れ量や光学ズーム倍率とともに、高周波数成分検出部１００ｂより出力される先鋭度を用いても勿論良い（この場合、先鋭度が大きな値であるほど決定される評価値は小さくなる）。これにより、ＣＰＵ１１は、複数のパラメータにより複合的に評価値を決定することとなるので、一層適切な評価値を決定付けることができる。
また、実施形態１〜３において、撮像装置１〜１ｂによる拡大率調整処理は、図４，図７，図９のステップＳ１０４〜ステップＳ１１５で示されるように、撮像部２０により被写体が撮像されるタイミングで繰り返し拡大率を調整するように構成しているが、計時部７０にて計時される時間が所定時間に達したタイミング等で繰り返し調整するように構成しても勿論良い。
【符号の説明】
【００７２】
１，１ａ，１ｂ        撮像装置
１０                  制御部（拡大表示制御部、拡大率制御部）
１１                  ＣＰＵ
１２，１２ａ，１２ｂ  メモリ部
２０                  撮像部
３０                  画像処理部
４０                  駆動部
４１                  撮像素子駆動部
４２                  レンズ駆動部
５０                  揺れ量検出部（揺れ量検出センサ）
６０                  操作部（モード切換部、選択部、光学ズーム手段）
７０                  計時部
８０                  表示部
９０                  記憶部
１００ｂ              高周波成分検出部（先鋭度算出部）
【図１】
2011133696.tif 000003
【図２】
2011133696.tif 000004
【図３】
2011133696.tif 000005
【図４】
2011133696.tif 000006
【図５】
2011133696.tif 000007
【図６】
2011133696.tif 000008
【図７】
2011133696.tif 000009
【図８】
2011133696.tif 000010
【図９】
2011133696.tif 000011
【手続補正書】
【提出日】平成23年1月19日(2011.1.19)
【手続補正２】
【補正対象書類名】明細書
【補正対象項目名】０００１
【補正方法】変更
【補正の内容】
【０００１】
本発明は、撮像装置、撮像装置の制御方法、およびプログラムに関する。
【手続補正３】
【補正対象書類名】明細書
【補正対象項目名】０００６
【補正方法】変更
【補正の内容】
【０００６】
そこで、本発明の課題は、ライブビュー表示された画像に基づいてフォーカス調整が可能で、当該フォーカス調整を容易にする撮像装置、撮像装置の制御方法、およびプログラムを提供する。
【手続補正４】
【補正対象書類名】明細書
【補正対象項目名】０００７
【補正方法】変更
【補正の内容】
【０００７】
以上の課題を解決するため、請求項１に記載の発明は、被写体を撮像して画像を生成する撮像部を備える撮像装置であって、前記撮像部にて順次生成される画像の全体を順次表示する表示部と、前記撮像部にて順次生成される画像の一部を所定の拡大率で拡大しながら前記表示部に順次表示する拡大表示制御部と、撮像装置の揺れ量を検出する検出部と、前記検出部により検出される揺れ量に応じて前記拡大表示制御部が前記画像の一部を拡大する際の拡大率を変化させる拡大率制御部と、を備えることを特徴とする。
【手続補正５】
【補正対象書類名】明細書
【補正対象項目名】０００８
【補正方法】変更
【補正の内容】
【０００８】
請求項２に記載の発明は、更に、前記拡大率制御部は、揺れ量が大きいほど拡大率が小さくなるように、前記検出部により検出される揺れ量に応じて前記拡大表示制御部による拡大の際の拡大率を変化させることを特徴とする。
【手続補正６】
【補正対象書類名】明細書
【補正対象項目名】０００９
【補正方法】変更
【補正の内容】
【０００９】
請求項３に記載の発明は、更に、光学ズーム倍率を任意の倍率に設定する光学ズーム部を更に備え、前記表示部は、前記光学ズーム部により設定された光学ズーム倍率に対応して前記撮像部にて生成される画像の全体を表示し、前記拡大表示制御部は、前記光学ズーム部により設定された光学ズーム倍率に対応して前記撮像部にて生成される画像の一部を更に前記所定の拡大率で拡大しながら前記表示部に表示することを特徴とする。
【手続補正７】
【補正対象書類名】明細書
【補正対象項目名】００１０
【補正方法】変更
【補正の内容】
【００１０】
請求項４記載の発明は、更に、前記拡大表示制御部は、前記撮像部にて生成される画像の全体が前記表示部に表示されている最中に、ユーザーの指示操作に応じて前記拡大表示を開始することを特徴とする。
【手続補正８】
【補正対象書類名】明細書
【補正対象項目名】００１１
【補正方法】変更
【補正の内容】
【００１１】
請求項５記載の発明は、更に、前記拡大表示制御部は、ユーザーの指示操作に応じて、前記表示部に表示させる画像を、拡大前の画像から拡大後の画像へと切り換えることを特徴とする。
【手続補正９】
【補正対象書類名】明細書
【補正対象項目名】００１２
【補正方法】変更
【補正の内容】
【００１２】
請求項６記載の発明は、更に、前記拡大表示制御部は、拡大前の画像の一部に合成して拡大後の画像を表示させることを特徴とする。
【手続補正１０】
【補正対象書類名】明細書
【補正対象項目名】００１３
【補正方法】変更
【補正の内容】
【００１３】
請求項７記載の発明は、更に、フォーカス調整を行うフォーカス調整部を更に備え、前記拡大表示制御部は、前記フォーカス調整部によるフォーカス調整の対象となる被写体部分の画像を所定の拡大率で拡大しながら前記表示部に順次表示することを特徴とする。
【手続補正１１】
【補正対象書類名】明細書
【補正対象項目名】００１４
【補正方法】変更
【補正の内容】
【００１４】
請求項８記載の発明は、更に、前記フォーカス調整部によるフォーカス調整の対象となる被写体領域を示す枠を前記表示部に表示させる枠表示制御部を更に備え、前記拡大表示制御部は、前記枠表示制御部で表示された枠内の画像を所定の拡大率で拡大しながら前記表示部に順次表示することを特徴とする。
【手続補正１２】
【補正対象書類名】明細書
【補正対象項目名】００１５
【補正方法】変更
【補正の内容】
【００１５】
請求項９記載の発明は、更に、手動操作によるフォーカス調整を行うフォーカス調整部と、拡大の対象領域を示す枠を前記表示部に表示させる枠表示制御部とを更に備え、
前記拡大表示制御部は、前記枠表示制御部で表示された枠内の画像を所定の拡大率で拡大しながら前記表示部に順次表示すること特徴とする。
請求項１０記載の発明は、更に、前記拡大率制御部は、前記検出部により検出される手振れ量に基づいて変化後の拡大率の目標値を決定し、前記拡大表示制御部が画像の一部を拡大して表示する際の拡大率が前記決定した目標値に徐々に近づくように拡大率の時間変化量を算出し、当該算出した時間変化量に基づいて前記拡大表示制御部による拡大の際の拡大率を時間とともに変化させることを特徴とする。
請求項１１記載の発明は、更に、前記拡大率制御部は、前記検出部により検出される揺れ量に基づいて、前記拡大表示制御部が画像の一部を拡大して表示する際の拡大率をその時点で設定されている拡大率に対して増減する又は維持するかを決定し、前記拡大率を増減すると決定した場合に、所定の拡大率の時間増減量に基づいて前記拡大表示制御部による拡大の際の拡大率を時間とともに変化させることを特徴とする。
請求項１２記載の発明は、更に、前記拡大率制御部は、前記検出部により検出される揺れ量と前記光学ズーム部により設定された光学ズーム倍率との組み合わせに応じて前記拡大表示制御部による拡大の際の拡大率を変化させることを特徴とする。
【手続補正１３】
【補正対象書類名】明細書
【補正対象項目名】００１６
【補正方法】変更
【補正の内容】
【００１６】
請求項１３記載の発明は、被写体を撮像して画像を生成する撮像部を備える撮像装置であって、光学ズーム倍率を任意の倍率に設定する光学ズーム部と、前記光学ズーム手段により設定された光学ズーム倍率に対応して前記撮像部にて生成される画像の全体を順次表示する表示部と、前記光学ズーム部により設定された光学ズーム倍率に対応して前記撮像部にて生成される画像の一部を、更に所定の拡大率で拡大しながら前記表示部に順次表示する拡大表示制御部と、前記光学ズーム部により設定された光学ズーム倍率に応じて前記拡大表示制御部による拡大の際の拡大率を変化させる拡大率制御部と、を備えることを特徴とすることを特徴とする。
請求項１４記載の発明は、更に、前記拡大率制御部は、光学ズーム倍率が大きいほど拡大率が小さくなるように、前記光学ズーム手段により設定された光学ズーム倍率に応じて前記拡大表示制御部の拡大率を変化させることを特徴とする。
【手続補正１４】
【補正対象書類名】明細書
【補正対象項目名】００１７
【補正方法】変更
【補正の内容】
【００１７】
請求項１５記載の発明は、被写体を撮像して画像を生成する撮像部と、前記撮像部にて順次生成される画像の全体を順次表示する表示部と、撮像装置の揺れ量を検出する検出部とを備えた撮像装置の制御プログラムであって、前記撮像装置のコンピュータを、前記撮像部にて順次生成される画像の一部を所定の拡大率で拡大しながら前記表示部に順次表示する拡大表示制御手段と、前記検出部により検出される揺れ量に応じて前記拡大表示制御手段による拡大の際の拡大率を変化させる拡大率制御手段と、して機能させることを特徴とする。
請求項１６記載の発明は、被写体を撮像して画像を生成する撮像部と、光学ズーム倍率を任意の倍率に設定する光学ズーム部と、前記光学ズーム部により設定された光学ズーム倍率に対応して前記撮像部にて生成される画像の全体を順次表示する表示部とを備えた撮像装置の制御プログラムであって、前記撮像装置のコンピュータを、前記光学ズーム部により設定された光学ズーム倍率に対応して前記撮像部にて生成される画像の一部を更に所定の拡大率で拡大しながら前記表示部に順次表示する拡大表示制御部と、前記光学ズーム部により設定された光学ズーム倍率に応じて前記拡大表示制御部による拡大の際の拡大率を変化させる拡大率制御部と、して機能させることを特徴とする。
請求項１７記載の発明は、被写体を撮像して画像を生成する撮像部と、前記撮像部にて順次生成される画像の全体を順次表示する表示部と、撮像装置の揺れ量を検出する検出部とを備えた撮像装置の制御方法であって、前記撮像部にて順次生成される画像の一部を所定の拡大率で拡大しながら前記表示部に順次表示する拡大表示制御ステップと、前記検出部により検出される揺れ量に応じて前記拡大表示制御ステップによる拡大の際の拡大率を変化させる拡大率制御ステップと、を有することを特徴とする。
請求項１８記載の発明は、被写体を撮像して画像を生成する撮像部と、光学ズーム倍率を任意の倍率に設定する光学ズーム部と、前記光学ズーム部により設定された光学ズーム倍率に対応して前記撮像部にて生成される画像の全体を順次表示する表示部とを備えた撮像装置の制御方法であって、前記光学ズーム部により設定された光学ズーム倍率に対応して前記撮像部にて生成される画像の一部を更に所定の拡大率で拡大しながら前記表示部に順次表示する拡大表示制御ステップと、前記光学ズーム部により設定された光学ズーム倍率に応じて前記拡大表示制御ステップによる拡大の際の拡大率を変化させる拡大率制御ステップと、を有することを特徴とする。
【手続補正１５】
【補正対象書類名】明細書
【補正対象項目名】００１８
【補正方法】変更
【補正の内容】
【００１８】
したがって、本発明は、ライブビュー表示された画像に基づいてフォーカス調整が可能で、当該フォーカス調整を容易にする撮像装置、撮像装置の制御方法、およびプログラムを提供する。
【手続補正１６】
【補正対象書類名】特許請求の範囲
【補正対象項目名】全文
【補正方法】変更
【補正の内容】
【特許請求の範囲】
【請求項１】
被写体を撮像して画像を生成する撮像部を備える撮像装置であって、
前記撮像部にて順次生成される画像の全体を順次表示する表示部と、
前記撮像部にて順次生成される画像の一部を所定の拡大率で拡大しながら前記表示部に順次表示する拡大表示制御部と、
撮像装置の揺れ量を検出する検出部と、
前記検出部により検出される揺れ量に応じて前記拡大表示制御部が前記画像の一部を拡大する際の拡大率を変化させる拡大率制御部と、
を備えることを特徴とする撮像装置。
【請求項２】
請求項１に記載の撮像装置において、
前記拡大率制御部は、揺れ量が大きいほど拡大率が小さくなるように、前記検出部により検出される揺れ量に応じて前記拡大表示制御部による拡大の際の拡大率を変化させることを特徴とする撮像装置。
【請求項３】
請求項２に記載の撮像装置において、
光学ズーム倍率を任意の倍率に設定する光学ズーム部を更に備え、
前記表示部は、前記光学ズーム部により設定された光学ズーム倍率に対応して前記撮像部にて生成される画像の全体を表示し、
前記拡大表示制御部は、前記光学ズーム部により設定された光学ズーム倍率に対応して前記撮像部にて生成される画像の一部を更に前記所定の拡大率で拡大しながら前記表示部に表示することを特徴とする撮像装置。
【請求項４】
請求項２に記載の撮像装置において、
前記拡大表示制御部は、前記撮像部にて生成される画像の全体が前記表示部に表示されている最中に、ユーザーの指示操作に応じて前記拡大表示を開始することを特徴とする撮像装置。
【請求項５】
請求項４に記載の撮像装置において、
前記拡大表示制御部は、ユーザーの指示操作に応じて、前記表示部に表示させる画像を、拡大前の画像から拡大後の画像へと切り換えることを特徴とする撮像装置。
【請求項６】
請求項２に記載の撮像装置において、
前記拡大表示制御部は、拡大前の画像の一部に合成して拡大後の画像を表示させることを特徴とする撮像装置。
【請求項７】
請求項２に記載の撮像装置において、
フォーカス調整を行うフォーカス調整部を更に備え、
前記拡大表示制御部は、前記フォーカス調整部によるフォーカス調整の対象となる被写体部分の画像を所定の拡大率で拡大しながら前記表示部に順次表示することを特徴とする撮像装置。
【請求項８】
請求項７に記載の撮像装置において、
前記フォーカス調整部によるフォーカス調整の対象となる被写体領域を示す枠を前記表示部に表示させる枠表示制御部を更に備え、
前記拡大表示制御部は、前記枠表示制御部で表示された枠内の画像を所定の拡大率で拡大しながら前記表示部に順次表示することを特徴とする撮像装置。
【請求項９】
請求項２に記載の撮像装置において、
手動操作によるフォーカス調整を行うフォーカス調整部と、
拡大の対象領域を示す枠を前記表示部に表示させる枠表示制御部とを更に備え、
前記拡大表示制御部は、前記枠表示制御部で表示された枠内の画像を所定の拡大率で拡大しながら前記表示部に順次表示することを特徴とする撮像装置。
【請求項１０】
請求項２に記載の撮像装置において、
前記拡大率制御部は、前記検出部により検出される手振れ量に基づいて変化後の拡大率の目標値を決定し、前記拡大表示制御部が画像の一部を拡大して表示する際の拡大率が前記決定した目標値に徐々に近づくように拡大率の時間変化量を算出し、当該算出した時間変化量に基づいて前記拡大表示制御部による拡大の際の拡大率を時間とともに変化させることを特徴とする撮像装置。
【請求項１１】
請求項２に記載の撮像装置において、
前記拡大率制御部は、前記検出部により検出される揺れ量に基づいて、前記拡大表示制御部が画像の一部を拡大して表示する際の拡大率をその時点で設定されている拡大率に対して増減する又は維持するかを決定し、前記拡大率を増減すると決定した場合に、所定の拡大率の時間増減量に基づいて前記拡大表示制御部による拡大の際の拡大率を時間とともに変化させることを特徴とする撮像装置。
【請求項１２】
請求項１に記載の撮像装置において、
前記拡大率制御部は、前記検出部により検出される揺れ量と前記光学ズーム部により設定された光学ズーム倍率との組み合わせに応じて前記拡大表示制御部による拡大の際の拡大率を変化させることを特徴とする撮像装置。
【請求項１３】
被写体を撮像して画像を生成する撮像部を備える撮像装置であって、
光学ズーム倍率を任意の倍率に設定する光学ズーム部と、
前記光学ズーム手段により設定された光学ズーム倍率に対応して前記撮像部にて生成される画像の全体を順次表示する表示部と、
前記光学ズーム部により設定された光学ズーム倍率に対応して前記撮像部にて生成される画像の一部を、更に所定の拡大率で拡大しながら前記表示部に順次表示する拡大表示制御部と、
前記光学ズーム部により設定された光学ズーム倍率に応じて前記拡大表示制御部による拡大の際の拡大率を変化させる拡大率制御部と、
を備えることを特徴とすることを特徴とする撮像装置。
【請求項１４】
請求項１３に記載の撮像装置において、
前記拡大率制御部は、光学ズーム倍率が大きいほど拡大率が小さくなるように、前記光学ズーム手段により設定された光学ズーム倍率に応じて前記拡大表示制御部の拡大率を変化させることを特徴とする撮像装置。
【請求項１５】
被写体を撮像して画像を生成する撮像部と、前記撮像部にて順次生成される画像の全体を順次表示する表示部と、撮像装置の揺れ量を検出する検出部とを備えた撮像装置の制御プログラムであって、
前記撮像装置のコンピュータを、
前記撮像部にて順次生成される画像の一部を所定の拡大率で拡大しながら前記表示部に順次表示する拡大表示制御手段と、
前記検出部により検出される揺れ量に応じて前記拡大表示制御手段による拡大の際の拡大率を変化させる拡大率制御手段と、
して機能させることを特徴とするプログラム。
【請求項１６】
被写体を撮像して画像を生成する撮像部と、光学ズーム倍率を任意の倍率に設定する光学ズーム部と、前記光学ズーム部により設定された光学ズーム倍率に対応して前記撮像部にて生成される画像の全体を順次表示する表示部とを備えた撮像装置の制御プログラムであって、
前記撮像装置のコンピュータを、
前記光学ズーム部により設定された光学ズーム倍率に対応して前記撮像部にて生成される画像の一部を更に所定の拡大率で拡大しながら前記表示部に順次表示する拡大表示制御部と、
前記光学ズーム部により設定された光学ズーム倍率に応じて前記拡大表示制御部による拡大の際の拡大率を変化させる拡大率制御部と、
して機能させることを特徴とするプログラム。
【請求項１７】
被写体を撮像して画像を生成する撮像部と、前記撮像部にて順次生成される画像の全体を順次表示する表示部と、撮像装置の揺れ量を検出する検出部とを備えた撮像装置の制御方法であって、
前記撮像部にて順次生成される画像の一部を所定の拡大率で拡大しながら前記表示部に順次表示する拡大表示制御ステップと、
前記検出部により検出される揺れ量に応じて前記拡大表示制御ステップによる拡大の際の拡大率を変化させる拡大率制御ステップと、
を有することを特徴とする撮像装置の制御方法。
【請求項１８】
被写体を撮像して画像を生成する撮像部と、光学ズーム倍率を任意の倍率に設定する光学ズーム部と、前記光学ズーム部により設定された光学ズーム倍率に対応して前記撮像部にて生成される画像の全体を順次表示する表示部とを備えた撮像装置の制御方法であって、
前記光学ズーム部により設定された光学ズーム倍率に対応して前記撮像部にて生成される画像の一部を更に所定の拡大率で拡大しながら前記表示部に順次表示する拡大表示制御ステップと、
前記光学ズーム部により設定された光学ズーム倍率に応じて前記拡大表示制御ステップによる拡大の際の拡大率を変化させる拡大率制御ステップと、
を有することを特徴とする撮像装置の制御方法。